(57)【要約】      （修正有）【課題】高速伝送される電気信号へのノイズの影響を除去する。【解決手段】ハウジング４は、グランド金具８を収容する複数の端子６の配列方向に延びる空間を一対の対向壁間の中央部に有し、空間の上部は、中央凸面に形成された相手側グランドプレートを受け入れる、複数の端子の配列方向に延びる開口部４ｑに連通し、グランド金具は、複数の端子の配列方向に延びる第１接続部８ａ、複数の端子の配列方向に延びる第２接続部８ｂ及び第１接続部と第２接続部が対向するように回路基板側で連結する連結部８ｃを備え、第１接続部及び第２接続部のそれぞれの下端部は、回路基板に実装されている。【選択図】図２
2015002057.tif 000002
【特許請求の範囲】
【請求項１】
相手コネクタを受入れるための略四角筒状の内壁面で形成された受入れ凹部と、前記受入れ凹部を構成する一対の対向壁間に設けられた中央凸部が形成され、回路基板上に配置されるハウジングと、
前記一対の対向壁のそれぞれに複数形成された端子溝にそれぞれ収容された、前記相手コネクタの相手端子と接触する複数の端子と、
前記相手コネクタが有する板状のグランドプレートと接続するグランド金具と、
を備える電気コネクタにおいて、
前記ハウジングは、前記グランド金具を収容する前記複数の端子の配列方向に延びる空間を前記一対の対向壁間の中央部に有し、前記空間の上部は、前記中央凸面に形成された前記相手側グランドプレートを受け入れる、前記複数の端子の配列方向に延びる開口部に連通し、
前記グランド金具は、前記複数の端子の配列方向に延びる第１接続部、前記複数の端子の配列方向に延びる第２接続部及び前記第１接続部と前記第２接続部が対向するように前記回路基板側で連結する連結部を備え、
前記第１接続部及び前記第２接続部のそれぞれの下端部は、前記回路基板に実装されていることを特徴とする電気コネクタ。
【請求項２】
前記ハウジングの前記空間は、前記複数の端子の配列方向に交差する方向の断面が凸形状を有し、
前記グランド金具の第１接続部は、前記凸形状の空間を形成する第１の内壁に沿って屈曲した弾性部であり、
前記グランド金具の第２接続部は、前記凸形状の空間を形成する第２の内壁に沿って屈曲した弾性部であることを特徴とする請求項１記載の電気コネクタ。
【請求項３】
前記第１接続部及び前記第２接続部は、前記複数の端子の配列方向において所定間隔で形成された切り込みを有することを特徴とする請求項１または２記載の電気コネクタ。
【発明の詳細な説明】
【技術分野】
【０００１】
本発明は、回路基板上に実装され相手コネクタと接続される電気コネクタに関するものである。
【背景技術】
【０００２】
従来、電気信号に対するノイズの影響を除去するために、ハウジングの周囲に電気信号へのノイズの混入を防止するためのシェルを設けた電気コネクタが存在する（例えば、特許文献１参照）。
【先行技術文献】
【特許文献】
【０００３】
【特許文献１】特許第４３３３８８４号公報
【発明の概要】
【発明が解決しようとする課題】
【０００４】
しかし、上述の電気コネクタにおいては、回路基板のグランドパターンに接続されるグランド端子がシェルの４隅及び両側部のそれぞれの中央部に設けられているのみであるため、近接した位置にグランド端子が存在しない端子を介して伝送される電気信号はノイズの影響を受け易いという問題があった。
【０００５】
本発明の目的は、高速伝送される電気信号へのノイズの影響を除去することができる電気コネクタを提供することである。
【課題を解決するための手段】
【０００６】
本発明の電気コネクタは、相手コネクタを受入れるための略四角筒状の内壁面で形成された受入れ凹部と、前記受入れ凹部を構成する一対の対向壁間に設けられた中央凸部が形成され、回路基板上に配置されるハウジングと、前記一対の対向壁のそれぞれに複数形成された端子溝にそれぞれ収容された、前記相手コネクタの相手端子と接触する複数の端子と、前記相手コネクタが有する板状のグランドプレートと接続するグランド金具と、備える電気コネクタにおいて、前記ハウジングは、前記グランド金具を収容する前記複数の端子の配列方向に延びる空間を前記一対の対向壁間の中央部に有し、前記空間の上部は、前記中央凸面に形成された前記相手側グランドプレートを受け入れる、前記複数の端子の配列方向に延びる開口部に連通し、前記グランド金具は、前記複数の端子の配列方向に延びる第１接続部、前記複数の端子の配列方向に延びる第２接続部及び前記第１接続部と前記第２接続部が対向するように前記回路基板側で連結する連結部を備え、前記第１接続部及び前記第２接続部のそれぞれの下端部は、前記回路基板に実装されていることを特徴とする。
【０００７】
また、本発明の電気コネクタは、前記ハウジングの前記空間が、前記複数の端子の配列方向に交差する方向の断面が凸形状を有し、前記グランド金具の第１接続部が、前記凸形状の空間を形成する第１の内壁に沿って屈曲した弾性部であり、前記グランド金具の第２接続部は、前記凸形状の空間を形成する第２の内壁に沿って屈曲した弾性部であることを特徴とする。
【０００８】
また、本発明の電気コネクタは、前記第１接続部及び前記第２接続部が、前記複数の端子の配列方向において所定間隔で形成された切り込みを有することを特徴とする。
【発明の効果】
【０００９】
本発明の電気コネクタによれば、高速伝送される電気信号へのノイズの影響を除去することができる。
【図面の簡単な説明】
【００１０】
【図１】実施の形態に係るレセプタクルコネクタの斜視図である。
【図２】実施の形態に係るレセプタクルコネクタの断面図である。
【図３】実施の形態に係るグランド金具の斜視図である。
【図４】実施の形態に係るプラグコネクタの斜視図である。
【図５】実施の形態に係るプラグコネクタの断面図である。
【図６】実施の形態に係るレセプタクルコネクタとプラグコネクタが嵌合した状態を示す斜視図である。
【図７】実施の形態に係るレセプタクルコネクタとプラグコネクタが嵌合した状態を示す断面図である。
【発明を実施するための形態】
【００１１】
以下、図面を参照して、本発明の実施の形態に係る電気コネクタについて説明する。図１は実施の形態に係るレセプタクルコネクタ（電気コネクタ）の斜視図であり、図２はその断面図である。また、図３はレセプタクルコネクタの内部に配置されるグランド金具の斜視図である。
【００１２】
図１に示すように、レセプタクルコネクタ２は、絶縁性を有する部材から成る平面視矩形状のハウジング４を備えており、ハウジング４の短手方向の両端部には長手方向に延びる側壁部４ｂが形成されている。また、ハウジング４の長手方向の両端部には、ロック金具４ｄを収容する収容部４ｅが設けられている。ここで、ロック金具４ｄは、レセプタクルコネクタ２にプラグコネクタ１０（図４参照）を嵌合させた場合に、レセプタクルコネクタ２からプラグコネクタ１０が抜出することを阻止するための金具である。
【００１３】
また、ハウジング４の中央には、プラグコネクタ１０を受け入れるための、側壁部４ｂの内壁面と収容部４ｅとによって囲まれた略四角筒状の受入れ凹部４ｈが形成されている。受入れ凹部４ｈの中央には、ハウジング４の長手方向に延びる中央凸部４ｋが形成されている。
【００１４】
また、中央凸部４ｋと一方の側壁部４ｂとの間には、ハウジング４の長手方向に延びる一方のレセプタクル嵌合溝４ｍが構成されている。同様に、中央凸部４ｋと他方の側壁部４ｂとの間にも、ハウジング４の長手方向に延びる他方のレセプタクル嵌合溝４ｍが構成されている。
【００１５】
また、中央凸部４ｋの下側には、図２に示すように、ハウジング４の長手方向に延びる断面凸形状の空間が形成されている。この空間は、一方の側壁部４ｂと他方の側壁部４ｂとの間の中央部に位置しており、空間の上部が中央凸部４ｋの中央に形成された矩形状の開口部４ｑに連通している。また、この空間内には、図３に示すように、ハウジング４の長手方向に延びるグランド金具８が配置されている。
【００１６】
ここで、一方の側壁部４ｂの内壁面側には、端子６を収容保持するための端子溝４ｐが所定の間隔で複数形成されている。端子溝４ｐに収容保持される端子６は略Ｓ字形状を有しており、湾曲部分６ａがレセプタクル嵌合溝４ｍ内に位置し、折返し部６ｃが側壁部４ｂの上端に位置している。また、半田付けによって回路基板に接続される下側の端部６ｅの先端部分６ｆが側壁部４ｂの外側に露出している。
【００１７】
同様に、他方の側壁部４ｂの内壁面側にも端子６を収容保持するための端子溝４ｐが所定の間隔で複数形成されている。端子溝４ｐに収容保持される端子６も略Ｓ字形状を有しており、湾曲部分６ａがレセプタクル嵌合溝４ｍ内に位置し、折返し部６ｃが側壁部４ｂの上端に位置している。また、半田付けによって回路基板に接続される下側の端部６ｅの先端部分６ｆが側壁部４ｂの外側に露出している。
【００１８】
グランド金具８は、一方の側壁部４ｂ側にグランドプレート１６（図５参照）と接続される第１接続部８ａを備え、他方の側壁部４ｂ側に第１接続部８ａと対向し、グランドプレート１６（図５参照）と接続される第２接続部８ｂを備えている。また、第１接続部８ａの下部の第１基底部８ｃと、第２接続部８ｂの下部の第２基底部８ｄは、グランド金具８の長手方向の両端部に形成された連結部８ｅによって連結されている。
【００１９】
ここで、第１接続部８ａは、上端部に第２接続部８ｂの方向に屈曲する屈曲部を有すると共に、屈曲部から第１基底部８ｃに向かって下方向に傾斜する傾斜部を有する弾性部材である。同様に、第２接続部８ｂは、上端部に第１接続部８ａの方向に屈曲する屈曲部を有すると共に、屈曲部から第２基底部８ｄに向かって下方向に傾斜する傾斜部を有する弾性部材である。
【００２０】
また、第１接続部８ａには、上端部から下方に向かう複数の切り込み８ｇが所定の間隔で形成されている。同様に、第２接続部８ｂにも、上端部から下方に向かう複数の切り込み８ｇが所定の間隔で形成されている。なお、第１接続部８ａの屈曲部と第２接続部８ｂの屈曲部との間には、複数の端子６の配列方向に延びる間隙ｆが形成されている。
【００２１】
また、第１基底部８ｃの下面の全体、第２基底部８ｄの下面の全体は、回路基板のグランドパターンに接続されている。
【００２２】
図４は実施の形態に係るプラグコネクタ（相手コネクタ）の斜視図であり、図５はその断面図である。図４に示すように、プラグコネクタ１０は、絶縁性を有する部材から成る矩形状のハウジング１２を備えている。また、ハウジング１２の短手方向の両端部には長手方向に延びる側壁部１２ｂが形成され、側壁部１２ｂに沿って相手端子１４が所定の間隔で配列されている。また、図５に示すように、ハウジング１２の中央には、一枚板でありハウジング１２の長手方向に延びるグランドプレート１６がインサート成形されている。
【００２３】
ここで、一方の側壁部１２ｂ側に配置される相手端子１４は略Ｌ字形状を有しており、上側の端部１４ａが半田付けによって図示しない相手回路基板の回路パターンに接続される。同様に、他方の側壁部１２ｂ側に配置される相手端子１４も略Ｌ字形状を有し、上側の端部１４ａが半田付けによって図示しない相手回路基板の回路パターンに接続される。
【００２４】
図６は実施の形態に係るレセプタクルコネクタ２とプラグコネクタ１０が嵌合した状態を示す斜視図であり、図７はその断面を示す図である。プラグコネクタ１０がレセプタクルコネクタ２に嵌合された場合、図６に示すように、プラグコネクタ１０がレセプタクルコネクタ２の受入れ凹部４ｈに受け入れられる。
【００２５】
即ち、図７に示すように、一方の側壁部１２ｂが一方のレセプタクル嵌合溝４ｍに嵌合され、他方の側壁部１２ｂが他方のレセプタクル嵌合溝４ｍに嵌合されることにより、相手端子１４と端子６とが電気的に接続される。
【００２６】
この際には、グランドプレート１６が中央凸部４ｋの開口部４ｑを介してグランド金具８の間隙８ｆに挿入される。この場合、第１接続部８ａが弾性力によって常時図７の紙面の右方向に付勢され、かつ第２接続部８ｂが弾性力によって常時図７の紙面の左方向に付勢されるため、第１接続部８ａ及び第２接続部８ｂが十分な接触力でグランドプレート１６と接触する。
【００２７】
この実施の形態に係るレセプタクルコネクタ２によれば、ハウジング４の中央に複数の端子６の配列方向に延びるグランド金具８を配置し、かつ第１基底部８ｃの下面の全体、及び第２基底部８ｄの下面の全体をそれぞれ連続して回路基板のグランドパターンに接続させることにより、全ての端子６に略等しい距離でグランド金具８を近接させることができる。したがって、各端子６を介して高速伝送される電気信号へのノイズの影響を除去することができる。
【００２８】
また、第１接続部８ａ及び第２接続部８ｂにそれぞれ切り込み８ｇを形成することにより、第１接続部８ａ及び第２接続部８ｂをムラなくグランドプレート１６に接触させることができる。
【符号の説明】
【００２９】
２…レセプタクルコネクタ、４…ハウジング、４ｂ…側壁部、４ｈ…受入れ凹部、４ｋ…中央凸部、４ｍ…レセプタクル嵌合溝、４ｑ…開口部、６…端子、８…グランド金具、８ａ…第１接続部、８ｂ…第２接続部、８ｃ…第１基底部、８ｄ…第２基底部、８ｅ…連結部、８ｇ…切り込み、１０…プラグコネクタ、１２…ハウジング、１４…相手端子、１６…グランドプレート
【図１】
2015002057.tif 000003
【図２】
2015002057.tif 000004
【図３】
2015002057.tif 000005
【図４】
2015002057.tif 000006
【図５】
2015002057.tif 000007
【図６】
2015002057.tif 000008
【図７】
2015002057.tif 000009